(57)【要約】【解決手段】本発明は、ソリッドコアと該コアを被覆する１層又は２層以上のカバーとを備え、該カバーの表面に多数のディンプルが形成されたソリッドゴルフボールにおいて、上記ソリッドコアの直径が３８．７〜３９．６ｍｍであり、そのたわみ硬度が３．０〜４．０ｍｍであるとともに、上記カバーのショアＤ硬度が５９〜７０、ディンプル数が３１３〜３７１個、ボール初速が７６．８ｍ／ｓ以上であり、かつレイノルズ数７００００，スピン量２０００ｒｐｍにてボールを打ち出した時の揚力係数（ＣＬ）が０．１６５以上、レイノルズ数１８００００，スピン量２５２０ｒｐｍにてボールを打ち出した時の抗力係数（ＣＤ）が０．２３０以下であることを特徴とするソリッドゴルフボールを提供する。【効果】本発明のソリッドゴルフボールは、飛距離が十分に大きく競技上有利であるとともに、打感が良く、繰り返し打撃した時の割れ耐久性に優れたものである。【選択図】なし【特許請求の範囲】
【請求項１】
ソリッドコアと該コアを被覆する１層又は２層以上のカバーとを備え、該カバーの表面に多数のディンプルが形成されたソリッドゴルフボールにおいて、上記ソリッドコアの直径が３８．７〜３９．６ｍｍであり、そのたわみ硬度が３．０〜４．０ｍｍであるとともに、上記カバーのショアＤ硬度が５９〜７０、ディンプル数が３１３〜３７１個、ボール初速が７６．８ｍ／ｓ以上であり、かつレイノルズ数７００００，スピン量２０００ｒｐｍにてボールを打ち出した時の揚力係数（ＣＬ）が０．１６５以上、レイノルズ数１８００００，スピン量２５２０ｒｐｍにてボールを打ち出した時の抗力係数（ＣＤ）が０．２３０以下であることを特徴とするソリッドゴルフボール。
【請求項２】
上記ソリッドコアの主材としてシス−１，４−ポリブタジエンを用い、該ポリブタジエン１００質量部に対してスチレンブタジエンゴムを１〜３０質量部配合する請求項１記載のソリッドゴルフボール。
【請求項３】
上記ソリッドコアの表面におけるＪＩＳ−Ｃ硬度が７８〜８５であり、中心のＪＩＳ−Ｃ硬度が６０〜６８であり、かつ両差が１０以上１９以下である請求項１又は２記載のソリッドゴルフボール。
【請求項４】
上記ソリッドコアが単層若しくは内層・外層の複数層にて形成され、コアの全ての層若しくはどちらか１層の材料として、希土類元素系触媒またはＶＩＩＩ族金属化合物触媒で合成されたゴム材を含む請求項１〜３のいずれか１項記載のソリッドゴルフボール。
【発明の詳細な説明】
【技術分野】
【０００１】
本発明は、ソリッドコアと該コアを被覆する１層又は２層以上のカバーとを備え、該カバーの表面に多数のディンプルが形成されたソリッドゴルフボール、特に、ソリッドコアとカバーとからなるツーピースソリッドゴルフボールに関し、更に詳述すると、優れた飛距離、フィーリング、耐久性を有するソリッドゴルフボールに関するものである。
【背景技術】
【０００２】
従来より、コアの直径やたわみ硬度を適正化すると共に、カバーのショアＤ硬度及びディンプルの直径や深さを適正化したツーピースソリッドゴルフボールが種々提案されており、このようなゴルフボールとしては、米国特許第６４２８４２８号明細書（特許文献１），米国特許第６７０９３４８号明細書（特許文献２）及び米国特許第５３６８３０４号明細書（特許文献３）などが知られている。
【０００３】
しかしながら、上記の提案されたソリッドゴルフボールは、高速領域では低い抗力係数を有し、かつ低速領域では高い揚力係数を有するディンプルと高い初速度を有することを特徴としたゴルフボールではない。そして、上記提案のソリッドゴルフボールでは、飛距離の面での改良が不十分であった。また、飛距離改良の面だけではなく、フィーリングの良好性や割れ耐久性を維持した競技上有利なゴルフボールを提供することが望まれる。
【０００４】
【特許文献１】米国特許第６４２８４２８号明細書
【特許文献２】米国特許第６７０９３４８号明細書
【特許文献３】米国特許第５３６８３０４号明細書
【発明の開示】
【発明が解決しようとする課題】
【０００５】
本発明は、上記事情に鑑みなされたもので、ディンプル数、ディンプルによる空気力学的特性、カバー硬度、コア径、コア硬度、ボール初速を適正にすることにより、一般アマチュアゴルファーに対して優れた飛距離、フィーリング、耐久性を有するソリッドゴルフボールを提供することを目的とする。
【課題を解決するための手段】
【０００６】
本発明者らは、上記目的を達成するために鋭意検討を重ねた結果、ソリッドコアと該コアを被覆する１層又は２層以上のカバーとを備えたツーピース以上のマルチピースゴルフボールにおいて、カバーの表面に形成される多数のディンプルが起因する空気力学特性について着目し、これに加えて、コアたわみ硬度、カバー硬度及びボールのレイノルズ数を適正化することにより、コアやカバーのボール内部構造とボール表面のディンプル特性とが相まって総合的に競技上有利なゴルフボール特性が得られることを見出した。即ち、上記ソリッドコアの直径が３８．７〜３９．６ｍｍであり、そのたわみ硬度（初期荷重１０ｋｇｆから終荷重１３０ｋｇｆまで負荷したときの変形量）が３．０〜４．０ｍｍであるとともに、上記カバーのショアＤ硬度が５９〜７０、ディンプル数が３１３〜３７１個であり、かつレイノルズ数７００００，スピン量２０００ｒｐｍにてボールを打ち出した時の揚力係数（ＣＬ）が０．１６５以上であり、レイノルズ数１８００００，スピン量２５２０ｒｐｍにてボールを打ち出した時の抗力係数（ＣＤ）が０．２３０以下とすることにより、ボール初速が７６．８ｍ／ｓ以上となり、飛距離が増大するとともに、フィーリングの良好性や割れ耐久性を改良した競技上有利なソリッドゴルフボールを創出したものである。
【０００７】
従って、本発明は、下記のソリッドゴルフボールを提供する。
〔１〕ソリッドコアと該コアを被覆する１層又は２層以上のカバーとを備え、該カバーの表面に多数のディンプルが形成されたソリッドゴルフボールにおいて、上記ソリッドコアの直径が３８．７〜３９．６ｍｍであり、そのたわみ硬度が３．０〜４．０ｍｍであるとともに、上記カバーのショアＤ硬度が５９〜７０、ディンプル数が３１３〜３７１個、ボール初速が７６．８ｍ／ｓ以上であり、かつレイノルズ数７００００，スピン量２０００ｒｐｍにてボールを打ち出した時の揚力係数（ＣＬ）が０．１６５以上、レイノルズ数１８００００，スピン量２５２０ｒｐｍにてボールを打ち出した時の抗力係数（ＣＤ）が０．２３０以下であることを特徴とするソリッドゴルフボール。
〔２〕上記ソリッドコアの主材としてシス−１，４−ポリブタジエンを用い、該ポリブタジエン１００質量部に対してスチレンブタジエンゴムを１〜３０質量部配合する上記記載のソリッドゴルフボール。
〔３〕上記ソリッドコアの表面におけるＪＩＳ−Ｃ硬度が７８〜８５であり、中心のＪＩＳ−Ｃ硬度が６０〜６８であり、かつ両差が１０以上１９以下である上記記載のソリッドゴルフボール。
〔４〕上記ソリッドコアが単層若しくは内層・外層の複数層にて形成され、コアの全ての層若しくはどちらか１層の材料として、希土類元素系触媒又はＶＩＩＩ族金属化合物触媒で合成されたゴム材を含む上記記載のソリッドゴルフボール。
【発明の効果】
【０００８】
本発明のソリッドゴルフボールは、ソリッドコア及びカバーの硬度等の内部構造とボール表面に形成されるディンプルに基づく空気力学性能の適正化との相乗効果により、ボール初速が７６．８ｍ／ｓ以上となり、飛距離が増大するとともに、フィーリングの良好性や割れ耐久性を改良した競技上有利なボールである
【発明を実施するための最良の形態】
【０００９】
以下、本発明につき更に詳しく説明する。
本発明のソリッドゴルフボールは、ソリッドコアと該コアを被覆する１層又は２層以上のカバーとを備えたものであり、好適には、ツーピースソリッドゴルフボールが採用される。
【００１０】
上記コアの直径は、通常３８．７〜３９．６ｍｍ、好ましくは３８．９〜３９．５ｍｍ、さらに好ましくは３９．１〜３９．３ｍｍである。コア直径が小さすぎると、Ｗ＃１でスピンが増えたり反発が低下して飛距離が出なくなることがある。コア直径が大きすぎると繰り返し打撃した時の耐久性が低下することがある。
【００１１】
上記コアは、上記直径範囲において、初期荷重１０ｋｇｆから終荷重１３０ｋｇｆまで負荷したときの圧縮たわみ量（硬度１０−１３０ｋｇｆ）が通常３．０ｍｍ以上、好ましくは３．２ｍｍ以上で、更に好ましくは３．４ｍｍ以上で、４．０ｍｍ以下、好ましくは３．８ｍｍ以下、特に３．６ｍｍ以下の範囲であることがよい。値が小さすぎると、打感が硬くなってしまい、また、球離れが速くなり過ぎてコントロール性が悪なることがある。逆に、値が大きすぎると、打感が軟らかくなり過ぎたり、繰り返し打撃による割れ耐久性が悪くなると共に、反発が低下して飛距離が出なくなることがある。
【００１２】
また、上記コアの表面硬度としては、ＪＩＳ−Ｃ硬度で７８以上、好ましくは７９以上、更に好ましくは８０以上、上限として８５以下、好ましくは８３以下、更に好ましくは８２以下である。また、コアの中心硬度としては６０以上、好ましくは６２以上、更に好ましくは６３以上、上限として６８以下、好ましくは６６以下、更に好ましくは６５以下である。上記コア表面硬度又は上記コア中心硬度の値が大きすぎると打感が硬くなり過ぎたり球離れが速くなり過ぎることがあり、値が小さすぎると、打感が軟らかくなり過ぎたり、繰り返し打撃時の割れ耐久性が低下したり、反発が低下して飛距離が出なくなる事がある。
【００１３】
上記コアにおいて、コア表面硬度からコア中心硬度を差し引いた値は、ＪＩＳ−Ｃ硬度で１０以上、好ましくは１３以上、より好ましくは１５以上、上限として１９以下、好ましくは１８以下、より好ましくは１７以下である。コア表面硬度からコア中心硬度を差し引いた値が小さ過ぎると、ドライバー（Ｗ＃１）打撃時にスピンが増えすぎて所望の飛距離が得られなくなり、またフルショット時に打感が硬くなり過ぎることがある。一方、コア表面硬度からコア中心硬度を差し引いた値が大き過ぎると、繰り返し打撃による割れ耐久性が悪くなり、反発が低下して飛距離が出なくなることがある。
【００１４】
上述した所望の硬度を有するためには、ソリッドコアの配合材料の種類と量とをバランスよく適宜調整することが大事であるが、ソリッドコアの配合材料については下記の記述した公知の材料を採用することができ、これらの記述に限定されるものではない。
【００１５】
なお、本発明におけるコアは、単層であっても２層以上の複数層にて形成されてもよい。
【００１６】
基材ゴムとしては、天然ゴム又は合成ゴムの公知の基材ゴムを使用することができ、より具体的には、ポリブタジエン、特にシス構造を少なくとも４０％以上有するシス−１，４−ポリブタジエンを主に使用することが推奨される。また、基材ゴム中には、所望により上述したポリブタジエンと共に、天然ゴム、ポリイソプレンゴム、スチレンブタジエンゴムなどを併用配合することができる。
【００１７】
また、低コストにゴルフボールを作ること及びゴルフボールとしての反発をＲ＆Ａルール範囲内に収める観点から、ポリブタジエンゴム１００質量部に対してスチレンブタジエンゴムを１〜３０質量部、好ましくは２〜２０質量部、さらに好ましくは５〜１５質量部を配合することが望ましい。
【００１８】
また、基材ゴムはコストと反発性を両立する観点から希土類元素系触媒又はＶＩＩＩ族金属化合物触媒で合成されたものであることが望ましい。
【００１９】
一方、上記カバーについては、ショアＤ硬度で５９以上、好ましくは６０以上、更に好ましくは６２以上、上限として７０以下、好ましくは６５以下、更に好ましくは６３以下である。カバー硬度が軟らかすぎると、スピンが掛かりすぎたり反発が不足して飛距離が落ちてしまったり、耐擦過傷性が悪くなることがある。逆に、硬すぎると繰り返し打撃による割れ耐久性が悪くなったり、ショートゲーム、パターの打感が悪くなったりすることがある。なお、カバーのショアＤはＡＳＴＭ  Ｄ２２４０に基づくタイプＤデュロメーターによる測定値である。
【００２０】
また、上記カバーの厚さについては、下限値が１．５ｍｍ、好ましくは１．６ｍｍ、更に好ましくは１．７ｍｍとするものである。また、上記カバー厚さの上限値については、２．１ｍｍであり、好ましくは１．９ｍｍ、更に好ましくは１．８ｍｍとするものである。カバーの厚さが薄すぎると、繰り返し打撃による割れ耐久性が悪くなったり、射出成型により頂点部分に樹脂が回りにくくなり真球度が悪くなることがある。逆に、カバーが厚過ぎると、Ｗ＃１で打撃した時にスピンが増えて飛距離が出なくなったり、打感が硬くなってしまうことがある。
【００２１】
なお、本発明におけるカバーについては、単層であっても２層以上の複数層として形成してもよい。カバーが複数層に形成される場合、外側カバーの硬度及びカバー総厚さを前記範囲内にすることが必要となる。また、その形成方法は、直接コアに射出成形する方法や、或いは、予め半球殻状の２個のハーフカップを形成し、これらカップでコアを被覆し、加圧加熱成形する方法等の公知の方法を採用することができる。
【００２２】
このようにして得られたゴルフボールは、常法に従って上記カバー表面に多数ディンプルを成形することができる。また、ディンプルを成形した後、その表面に対してバフ研磨、塗装、スタンプ等の完成作業を行なうことができる。
【００２３】
上記多数のディンプルについて詳述する。
上記ディンプルの総数は、下限値として、通常３１３個以上、好ましくは３２０個以上、さらに好ましくは３２５個以上であり、上限値としては、３７１個以下、好ましくは３５８個以下、さらに好ましくは３４０個以下である。ディンプルの個数が上記範囲より多くなると、ボールの弾道が低くなり飛距離が出なくなることがある。ディンプル個数が少なくなると弾道が高くなり、飛距離が伸びなくなる場合がある。
【００２４】
また、ディンプルの種類の数は、通常、３種以上、好ましくは５種以上であることが推奨される。なお、上限として３０種以下、特に２０種以下であることが推奨される。ディンプルの形状については、特に制限はないが、円形、各種多角形、デュードロップ形、その他楕円形などの形状を１種類又は２種類以上を組み合わせて適宜使用することができる。例えば、円形ディンプルを使用する場合には、直径は２．５〜６．５ｍｍ程度、深さは０．０８〜０．３０ｍｍのものを用いることができる。上記各ディンプルの縁部に囲まれた平面下のディンプル空間体積を前記平面を底面とし、この底面からのディンプルの最大深さを高さとする円柱体積で除した値、即ち、Ｖ0値は０．３５〜０．８０の範囲であることが好ましい。
【００２５】
上記各ディンプルの縁部によって囲まれる仮想球面の総面積が占める割合（ディンプル表面占有率）ＳＲ値（％）としては、６０〜９０％の範囲内でディンプルが適宜選択される。また、ディンプルがないものと仮定した仮想ゴルフボール体積に対する、ゴルフボール表面ディンプルの容積が占める割合（体積占有率）をＶＲ（単位は％）と定義すると、そのＶＲ値（％）は通常０．６〜１の範囲内でディンプルが適宜選択される。これらＶＲ値及びＳＲ値が上記範囲を外れると、適正な弾道が得られず、飛距離が低下する場合がある。
【００２６】
また、ボールの飛距離の向上について、一般には、高速条件での低ＣＤ、低速条件での高ＣＬが良いことが分かった。
【００２７】
ウッドクラブ＃１（ドライバー）など距離を出すためのクラブによる打球につき、飛距離が大きく、特に風に強く、ランがよく出るボールを得るには打球の揚力と抗力のバランスが適切であり、ボールの構造，使用材料と共に、特に、使用されるディンブルの種類、総数、表面占有率、総体積等に依存するものである。
【００２８】
また、クラブにより打撃された飛行中のゴルフボールＧは、図１に示したように、重力６、空気による抵抗（抗力）７、更にボールがスピンを有するためにマグヌス効果による揚力８を受けることが知られている。なお、図中の符号９は飛行方向を示し、ボールＧは１１方向に回転している。
【００２９】
この場合、ゴルフボールに働く力は下記弾道方程式（１）で表される。
Ｆ＝ＦＬ＋ＦＤ＋Ｍｇ                        （１）
Ｆ  ：ゴルフボールに働く力
ＦＬ：揚力
ＦＤ：抗力
Ｍｇ：重力
【００３０】
また、上記弾道方程式（１）の揚力Ｆし、抗力ＦＤはそれぞれ下記数式（２），（３）で表される。
ＦＬ＝０．５×ＣＬ×ρ×Ａ×Ｖ２              （２）
ＦＤ＝０．５×ＣＤ×ρ×Ａ×Ｖ２              （３）
ＣＬ：揚力係数
ＣＤ：抗力係数
ρ  ：空気密度
Ａ  ：ゴルフボール最大断面積
Ｖ  ：ゴルフボール対空気速度
【００３１】
打球の飛距離を向上させるには、抗力又は抗力係数ＣＤのみを小さくしてもあまり効果がない。抗力係数のみ小さくした場合、打球の最高点の位置は伸びるが、最高点以降の低速度域において、揚力不足に基づくドロップにより飛距離をロスする傾向がある。
【００３２】
そこで、本発明のゴルフボールにおいては、低速ＣＬ値はＵＢＬ（Ｕｌｔｒａ  Ｂａｌｌ  Ｌａｕｎｃｈｅｒ）を用いて打ち出し直後の軌道上のボールからレイノルズ数７００００、スピン量２０００ｒｐｍにて打ち出した時の揚力係数が０．１６５以上、好ましくは０．１７０以上、さらに好ましくは０．１８０以上である。高速ＣＤ値については、同様に、レイノルズ数１８００００、スピン量２５２０ｒｐｍにて打ち出した時の抗力係数が０．２３０以下、好ましくは０．２２５以下、さらに好ましくは０．２２０以下である。この範囲を逸脱すると、良好な飛距離が得られなくなるおそれが十分にある。なお、ＵＢＬとは、上下に２対のドラムを設置して、上同士、下同士のドラムにベルトをかけ、それらを回転させその間にボールを挿入することによりボールを所望の条件にて打ち出す装置であり、ＵＢＬは、例えば、Ａｕｔｏｍａｔｅｄ  Ｄｅｓｉｇｎ  Ｃｏｒｐｏｒａｔｉｏｎ製を用いることができる。なお、打球の打出し直後におけるレイノルズ数１８００００はボールの速度において凡そ６４ｍ／ｓに対応し、レイノルズ数７００００は凡そ２５ｍ／ｓの速度に対応する。
【００３３】
上記ボールの初速度については、７６．８ｍ／ｓ以上、好ましくは７７．０ｍ／ｓ以上、上限値としては７７．７２４ｍ／ｓ以下に調整されるものである。ボールの初速度が低すぎると、ヘッドスピード全般において目標とする飛距離が十分に得られなくなるおそれがある。上限値を超えるとＲ＆Ａ（ＵＳＧＡ）の定める規格ＮＧとなり公認球として登録できなくなる。
【００３４】
なお、上記の初速度については、Ｒ＆Ａが承認する装置，ＵＳＧＡのドラム回転式の初速計と同方式の初速測定器を用いて測定する。ボールは２３±１℃の温度で３時間以上温調し、室温２３±２℃の部屋でテストする。２５０ポンド（１１３．４ｋｇ）のヘッド（ストライキングマス）を使って打撃速度１４３．８ｆｔ／ｓ（４３．８３ｍ／ｓ）にてボールを打撃する。１ダースのボールを各々４回打撃して６．２８ｆｔ（１．９１ｍ）の間を通過する時間を計測し、ボールの初速度を計算する。約１５分間でこのサイクルを行う。
【００３５】
なお、本発明のソリッドゴルフボールは、競技用としてゴルフ規則に従うものとすることができ、ボール外径としては４２．６７２ｍｍ内径のリングを通過しない大きさで４２．８０ｍｍ以下、重量としては通常４５．０〜４５．９３ｇに形成することができる。
【実施例】
【００３６】
以下、実施例と比較例を示し、本発明を具体的に説明するが、本発明は下記実施例に制限されるものではない。
【００３７】
［実施例，比較例］
下記表１に示した材料にてコア配合を行い、１６０℃，１３分間の条件で加硫し、各実施例及び比較例のソリッドコアを作成した。なお、比較例３のゴルフボールは、市販の「Ｗｉｌｓｏｎ  Ｓｔａｆｆ  ＤＸ２  ボール」（Ｗｉｌｓｏｎ社製）を使用した。
【００３８】
【表１】
2007075600.tif 000002
【００３９】
次に、各実施例及び比較例の各ソリッドコアに、表２に示す各組成のカバー樹脂組成物からなる所定厚のカバーを被覆してツーピースソリッドゴルフボールを得た。
【００４０】
【表２】
2007075600.tif 000003
【００４１】
上記ゴルフボールにつき、重量，硬度等の諸物性飛び性能、フィーリング及び耐久性を下記方法に従って測定した。その結果を表３に示す。
【００４２】
コア全体及びボールのたわみ硬度
硬板上で対象球状物に対して９８Ｎ（１０ｋｇｆ）荷重を加えた状態から１２７５Ｎ（１３０ｋｇｆ）荷重を増加させた時に生じるたわみ量である。
【００４３】
コアの硬度（中心と表面）
コア表面硬度については、硬度計をコア表面（球面部）に垂直になるように設置し、ＪＩＳ  Ｋ６３０１−１９９３に準じて計測した。コア中心硬度については、コアを２個にカットしてコア断面を平らになるようにした後にその中心部の硬度をＪＩＳ  Ｋ６３０１−１９９３に準じて計測した。
【００４４】
ボールの初速
初速は、Ｒ＆Ａの承認する装置であるＵＳＧＡのドラム回転式の初速計と同方式の初速測定器を用いて測定した。ボールは２３±１℃の温度で３時間以上温調し、室温２３±２℃の部屋でテストされた。２５０ポンド（１１３．４ｋｇ）のヘッド（ストライキングマス）を使って打撃速度１４３．８ｆｔ／ｓ（４３．８３ｍ／ｓ）にてボールを打撃した。１ダースのボールを各々４回打撃して６．２８ｆｔ（１．９１ｍ）の間を通過する時間を計測し、初速を計算した。約１５分間でこのサイクルを行った。
【００４５】
空気力学特性（低速ＣＬ値・高速ＣＤ値）
低速ＣＬ比は、ＵＢＬ（Ｕｌｔｒａ  Ｂａｌｌ  Ｌａｕｎｃｈｅｒ）を用いて打ち出し直後の軌道上のボールからレイノルズ数７００００，スピン量２０００ｒｐｍにて打ち出した時の揚力係数ＣＬを算出した。同様に、高速ＣＤ値は、レイノルズ数１８００００，スピン量２５２０ｒｐｍにてボールを打出した時の抗力係数を求めたものである。
ＵＢＬとは上下に２対のドラムを設置し上同士、下同士のドラムにベルトをかけ、それらを回転させその間にボールを挿入することによりボールを所望の条件にて打出す装置である。ＵＢＬはＡｕｔｏｍａｔｅｄ  Ｄｅｓｉｇｎ  Ｃｏｒｐｏｒａｔｉｏｎ製
【００４６】
飛び性能
打撃ロボットにクラブを取り付け、ヘッドスピードとしてＨＳ＝４５ｍ／ｓの条件で各ボールを打撃してトータル飛距離を計測した。トータル飛距離は、１０個のボールの平均値として算出した。クラブは、Ｗ＃１、Ｔｏｕｒ  Ｓｔａｇｅ  Ｘ−Ｄｒｉｖｅ  Ｔｙｐｅ  ３００  ロフト９°，シャフトフレックスＸを使用した。
○  ・・・トータル飛距離が２２９．０ｍ以上
×  ・・・トータル飛距離が２２９．０ｍ未満
【００４７】
フィーリング
Ｗ＃１のヘッドスピードが４２〜４８ｍ／ｓのアマチュアゴルファー１０人により下記の基準に従って官能評価を行った。
○  ・・・１０人中７人以上が良い打感
×  ・・・良い打感と感じた人が１０人中４人以下
【００４８】
繰り返し打撃耐久性
ゴルフ打撃ロボットにＷ＃１を付けてヘッドスピード４５ｍ／ｓにて繰り返し打撃した時のボール表面にひびが入り始めるまでの回数で評価。各ボールＮ＝３としてその平均値でみた。実施例２のボール表面にひびが入り始めた時の回数を指数表示で１００として右の指標により判断。
○  ・・・指数１００以上
×  ・・・指数１００未満
【００４９】
【表３】
2007075600.tif 000004
【００５０】
なお、各実施例，比較例のディンプルの性状については下記の表４に示す。
【００５１】
【表４】
2007075600.tif 000005
【００５２】
ディンプルの定義
直径：ディンプルの縁に囲まれた平面の直径
深さ：ディンプルの縁に囲まれた平面からのディンプルの最大深さ
Ｖ0：ディンプルの縁に囲まれた平面下のディンプルの空間体積を、前記平面を底面と
し、かつこの底面からのディンプルの最大深さを高さとする円柱体積で除した値
ＳＲ：ディンプルの縁に囲まれた平面の面縁で定義されるディンプル面積の合計が、ディ
ンプルが存在しないと仮定したボール球面積に占める比率
ＶＲ：ディンプルの縁に囲まれた平面から下方に形成されるディンプル容積の合計がディ
ンプルが存在しないと仮定したボール球容積に占める比率
【００５３】
表３の結果から、本実施例１，２のゴルフボールは、飛距離が十分に大きく競技有利であるとともに、打感が良く、繰り返し打撃した時の割れ耐久性に優れている。
【００５４】
これに対して、比較例１では、ディンプル数が多く、低速（レイノルズ数７００００／スピン２０００ｒｐｍ）時のＣＬが低すぎるため、飛距離が劣る。
比較例２では、ディンプル数が多いとともに低速（レイノルズ数７００００／スピン２０００ｒｐｍ）時のＣＬが低すぎるため、飛距離が劣る。
比較例３では、ディンプル数が少ないとともに低速（レイノルズ数７００００／スピン２０００ｒｐｍ）時のＣＬが低すぎるため、飛距離が劣る。
比較例４では、カバーが軟らかいとともに、ボール初速が低すぎるため飛距離が劣る。
比較例５では、コア径が小さ過ぎて、Ｗ＃１でスピンが多過ぎ飛距離が出ない。
比較例６では、コア径が大き過ぎて、カバーが薄くなり過ぎ、繰り返し打撃した時の割れ耐久性が劣る。
比較例７では、コア硬度が硬過ぎて、打感が硬過ぎる。
比較例８では、コア硬度が軟らか過ぎて、打感が鈍くなり過ぎるとともに、飛距離と繰り返し打撃した時の割れ耐久性に劣る。
【図面の簡単な説明】
【００５５】
【図１】飛行中のゴルフボールの揚力と抗力の関係を説明するための説明図である。
【図２】実施例で使用したディンプルを示したボールの平面図である。
【図３】比較例１で使用したディンプルを示したボールの平面図である。
【図４】比較例２で使用したディンプルを示したボールの平面図である。
【図１】
2007075600.tif 000006
【図２】
2007075600.tif 000007
【図３】
2007075600.tif 000008
【図４】
2007075600.tif 000009